(57)【要約】      （修正有）【課題】  壁と天井裏との接合部に、ファイヤーストップを簡易な作業により設けることを可能にして、防耐火性能を容易に付与できる軸組工法における壁のファイヤーストップ構造を提供する。【解決手段】  天井裏２１ａ，２１ｂの空間と連通する壁１１ａ，１１ｂの上端開放部分を閉塞するファイヤーストップ構造１０であって、ファイヤーストップ断熱部材１２を横架材１４から吊り下げて設置し、下端部分を壁１１ａ，１１ｂの上端開放部分から内部に押込むことによって構成される。ファイヤーストップ断熱部材１２は、縦長のマットレス形状に不燃性繊維質断熱材１３を形成して前後一対の正面部１３ａ及び底部１３ｂを防湿シート１５により連続して覆うと共に、防湿シート１５を正面部１３ａの上縁から上方に延設させて取付け用の耳部１６を設けることによって形成され、耳部１６を介してファイヤーストップ断熱部材１２を横架材１４に取り付ける。【選択図】      図２
2006207296.tif 000002
【特許請求の範囲】
【請求項１】
軸組工法において天井裏の空間と連通する壁の上端開放部分を閉塞するファイヤーストップ構造であって、
不燃性繊維質断熱材からなるファイヤーストップ断熱部材を前記壁の直上部分に配置された横架材から吊り下げて設置し、該ファイヤーストップ断熱部材の下端部分を前記壁の上端開放部分から前記壁の内部に押込んだ状態とすることによって構成され、
前記ファイヤーストップ断熱部材は、縦長に配置されるマットレス形状に前記不燃性繊維質断熱材を形成して該不燃性繊維質断熱材の少なくとも前後一対の正面部及び底部を防湿シートにより連続して覆うと共に、該防湿シートを前記正面部の上縁から上方に延設させて取付け用の耳部を設けることによって形成され、該耳部を介して前記ファイヤーストップ断熱部材を前記横架材に取り付ける軸組工法におけるファイヤーストップ構造。
【請求項２】
前記ファイヤーストップ断熱部材の下端部分は、壁板の内側上端部分に１５ｃｍ以上の重ね代で密着して前記壁の内部に押込まれる請求項１に記載の軸組工法におけるファイヤーストップ構造。
【請求項３】
前記ファイヤーストップ断熱部材は、壁板が取り付けられる柱又は間柱間の間隔に相当する横幅を有するように形成される請求項１又は２に記載の軸組工法におけるファイヤーストップ構造。
【請求項４】
前記不燃性繊維質断熱材は、グラスウール又はロックウールである請求項1〜３のいずれかに記載の軸組工法におけるファイヤーストップ構造。
【請求項５】
前記防湿シートは、ポリエチレンフィルムである請求項1〜４のいずれかに記載の軸組工法におけるファイヤーストップ構造。
【請求項６】
前記壁を挟んだ両側の天井は異なる高さに設置されており、前記壁を構成する両側の壁板は上端に段差を有している請求項1〜５のいずれかに記載の軸組工法におけるファイヤーストップ構造。
【発明の詳細な説明】
【技術分野】
【０００１】
本発明は、軸組工法における壁のファイヤーストップ構造に関し、特に軸組工法において天井裏の空間と連通する壁の上端開放部分を閉塞するファイヤーストップ構造に関する。
【背景技術】
【０００２】
ファイヤーストップは、壁、床、天井等の建築物の構成部分を覆う防火被覆が、火災時に万一突破されたことを想定し、これらの構成部分の部材内部を経由した延焼による火災の拡大を最小限に抑えることを目的とした、部材内部や部材間の空間が連通することによる延焼経路を遮断するための材料や構造であって、例えば、壁体の中空部や、壁と床との接合部、壁と天井裏との接合部等を区画するようにして設けられる。
【０００３】
また、ツーバイフォー工法やツーバイシックス工法等によって代表される枠組壁工法による木造住宅建築物では、一定間隔で組まれている縦枠、横枠等の構造材がファイヤーストップ材として機能して延焼の進行を遮断してくれるので、床下や壁、天井裏等が気密性の高い構造となっており、ファイヤーストップ性能に優れている。したがって、火災保険料に関して安価な設定となっているのが現状である。
【０００４】
さらに、例えば木質系のパネルを主体として建設される住宅建築物において、準耐火構造としての仕様を満たすべく、上下階の壁、床、天井等の接合部の十分な防耐火性能を容易に確保できるように、ファイヤーストップを設ける際の施工性を向上させた技術も開発されている（例えば、特許文献１参照）。
【特許文献１】特開平９−１３４９７号公報
【発明の開示】
【発明が解決しようとする課題】
【０００５】
一方、軸組工法による一般の木造住宅建築物の場合、例えば壁の中空内部が上方の天井裏の空間と連通するような構造となる場合が多く、また壁の中空内部を横断して天井裏への延焼経路を遮断する枠部材によるファイヤーストップを新たに設ける作業は、手間のかかる面倒な取付け作業となることから、軸組工法の防火構造にはファイヤーストップによる措置は要求されていないのが現状である。したがって、軸組工法による木造住宅建築物は、枠組壁工法による木造住宅建築物と比較して、防耐火性能上の差異が生じており、上述の火災保険料の設定において不利な取り扱いを受けている。
【０００６】
本発明は、このような従来の課題に着目してなされたものであり、軸組工法による木造住宅建築物の壁と天井裏との接合部に、ファイヤーストップを簡易な作業によって設けることを可能にして、ファイヤーストップによる防耐火性能を容易に付与することのできる軸組工法における壁のファイヤーストップ構造を提供することを目的とする。
【課題を解決するための手段】
【０００７】
本発明は、軸組工法において天井裏の空間と連通する壁の上端開放部分を閉塞するファイヤーストップ構造であって、不燃性繊維質断熱材からなるファイヤーストップ断熱部材を前記壁の直上部分に配置された横架材から吊り下げて設置し、該ファイヤーストップ断熱部材の下端部分を前記壁の上端開放部分から前記壁の内部に押込んだ状態とすることによって構成され、前記ファイヤーストップ断熱部材は、縦長に配置されるマットレス形状に前記不燃性繊維質断熱材を形成して該不燃性繊維質断熱材の少なくとも前後一対の正面部及び底部を防湿シートにより連続して覆うと共に、該防湿シートを前記正面部の上縁から上方に延設させて取付け用の耳部を設けることによって形成され、該耳部を介して前記ファイヤーストップ断熱部材を前記横架材に取り付ける軸組工法におけるファイヤーストップ構造を提供することにより、上記目的を達成したものである。
【０００８】
そして、本発明の軸組工法におけるファイヤーストップ構造によれば、前記ファイヤーストップ断熱部材の下端部分は、壁板の内側上端部分に１５ｃｍ以上の重ね代で密着して前記壁の内部に押込まれることが好ましい。
【０００９】
また、本発明の軸組工法におけるファイヤーストップ構造によれば、前記ファイヤーストップ断熱部材は、壁板が取り付けられる柱又は間柱間の間隔に相当する横幅を有するように形成されることが好ましい。
【００１０】
さらに、本発明の軸組工法におけるファイヤーストップ構造によれば、前記不燃性繊維質断熱材は、グラスウール又はロックウールであることが好ましい。
【００１１】
さらにまた、本発明の軸組工法におけるファイヤーストップ構造によれば、前記防湿シートは、ポリエチレンフィルムであることが好ましい。
【００１２】
そして、本発明の軸組工法におけるファイヤーストップ構造によれば、前記壁を挟んだ両側の天井は異なる高さに設置されており、前記壁を構成する両側の壁板は上端に段差を有していても良い。
【発明の効果】
【００１３】
本発明の軸組工法におけるファイヤーストップ構造によれば、軸組工法による木造住宅建築物の壁と天井裏との接合部に、ファイヤーストップを簡易な作業によって設けることを可能にして、ファイヤーストップによる防耐火性能を容易に付与することができる。
【発明を実施するための最良の形態】
【００１４】
本発明の好ましい一実施形態に係る軸組工法におけるファイヤーストップ構造は、例えば軸組工法による２階建ての木造住宅建築物において、例えば図１に示すように、1階の居室部分２０ａに設けられた間仕切壁１１ａと１階上方の天井裏２１ａとの接合部、及び２階の居室部分２０ｂに設けられた間仕切壁１１ｂと２階上方の小屋裏としての天井裏２１ｂとの接合部に設けられ、天井裏２１ａ，２１ｂの空間と連通する間仕切壁１１ａ，１１ｂの上端開放部分を閉塞して、間仕切壁１１ａ，１１ｂの中空部分から天井裏２１ａ，２１ｂに至る延焼経路を遮断することにより、木造住宅建築物の間仕切壁１１ａ，１１ｂを経由した延焼による火災の拡大を抑制できるようにするものである。
【００１５】
すなわち、本実施形態のファイヤーストップ構造１０は、軸組工法において天井裏２１ａ，２１ｂの空間と連通する間仕切壁１１ａ，１１ｂの上端開放部分を閉塞する構造であって、図２及び図３にも示すように、不燃性繊維質断熱材１３からなるファイヤーストップ断熱部材１２を間仕切壁１１ａ，１１ｂの直上部分に配置された横架材１４から吊り下げて設置し、このファイヤーストップ断熱部材１２の下端部分１２ａを間仕切壁１１ａ，１１ｂの上端開放部分から間仕切壁１１ａ，１１ｂの内部に押込んだ状態とすることによって構成される。そして、ファイヤーストップ断熱部材１２は、縦長に配置されるマットレス形状に不燃性繊維質断熱材１３を形成してこの不燃性繊維質断熱材１３の少なくとも前後一対の正面部１３ａ及び底部１３ｂを防湿シート１５により連続して覆うと共に、この防湿シート１５を正面部１３ａの上縁から上方に延設させて取付け用の耳部１６を設けることによって形成され、この耳部１６を介してファイヤーストップ断熱部材１２を横架材１４に取り付けるようになっている（図４参照）。
【００１６】
軸組工法による木造住宅建築物は、例えば土台、柱、間柱、梁、桁等からなる骨組に、床パネル、壁ボード、天井ボード等の下地材を取り付けると共に、さらに内装仕上げ材等を取り付けることによって構成される。本実施形態によれば、これらの下地材としてせっこうボード等の耐火性を備える板材を用いると共に、天井ボード１７の裏側に耐火性を備える例えばグラルウース１８等を敷設することにより、防耐火性能を向上させている。また本実施形態では、間仕切壁１１ａ，１１ｂは、せっこうボードによる壁下地として、一対の壁ボード１９を、柱や間柱（以下「柱」とする。）２２に支持させて両側に取り付けることにより、これらの一対の壁ボード１９の間に、例えば幅１００〜１２０ｍｍ程度の中空部分を保持した状態で設けられる。そして、間仕切壁１１ａ，１１ｂのせっこうボード１９による防火被覆が、火災時に万一突破された際にも、間仕切壁１１ａ，１１ｂの例えば中空部分を経由した天井裏２１ａ，２１ｂへの延焼による火災の拡大を抑制するために、本実施形態のファイヤーストップ構造１０が設けられる。
【００１７】
ファイヤーストップ構造１０を構成するファイヤーストップ断熱部材１２は、マットレス形状に形成された不燃性繊維質断熱材１３と、この不燃性繊維質断熱材１３の周囲を覆って取り付けられる防湿シート１５とからなる。不燃性繊維質断熱材１３は、例えばグラスウールやロックウール等の、不燃性を有する繊維質材料として公知の各種の繊維質断熱材を用いて形成することができる。また不燃性繊維質断熱材１３は、グラスウールを用いる場合には、１０〜２４ｋｇ／ｍ3の密度で形成するとすることが好ましく、ロックウールを用いる場合には、３０〜５０ｋｇ／ｍ3の密度で形成するすることが好ましい。さらに、不燃性繊維質断熱材１３は、好ましくは間仕切壁１１ａ，１１ｂの中空内部の幅と同じかこれよりも若干大きい１００〜１２０ｍｍ程度の厚さのマットレス形状とすることが好ましく、またその正面の形状を横幅が３８０〜４１０ｍｍ程度、高さが４００〜４５０ｍｍ程度の矩形形状となるように形成することが好ましい。
【００１８】
防湿シート１５としては、例えば防湿性を有する合成樹脂製のフィルムや防湿処理された紙等の種々のシート材料を用いることができるが、例えば０．０５ｍｍ程度の厚さのポリエチレンフィルムを用いることが好ましい。防湿シート１５は、縦長に配置されるマットレス形状に形成された、不燃性繊維質断熱材１３の前後一対の正面部１３ａ及び底部１３ｂを連続してコの字状に覆った状態で、例えば接着剤を介して不燃性繊維質断熱材１３に一体として取り付けられる。また防湿シート１５は、その上端部の例えば５０〜７５ｍｍ程度の幅の帯状部分を不燃性繊維質断熱材１３の正面部１３ａの上縁から上方に延設させて、取付け用の耳部１６を形成しいている。なお、本実施形態形態では、不燃性繊維質断熱材１３の天面部１３ｃを覆って天面防湿シート１５ａが、取付け用の耳部１６の基端部と連続するようにして設けられており、不燃性繊維質断熱材１３の側面部１３ｄは、防湿シート１５によって覆われることなく露出した状態となっている。
【００１９】
そして、上述のような不燃性繊維質断熱材１３と防湿シート１５とからなるファイヤーストップ断熱部材１２は、不燃性繊維質断熱材１３と略同様のマットレス形状を備え、軽量且つ可撓性を有し、取り付け作業を行いやすい防耐火性能断熱部品として、予め工場等において製造されることになる。また、ファイヤーストップ断熱部材１２は、例えば３８０〜４１０ｍｍ程度の予め定められた所定の間隔をおいて配置される柱２２の、当該柱２２間の間隔に相当する横幅ｂを備えるように形成することが好ましい。さらに、ファイヤーストップ断熱部材１２は、横架材１４に取り付けられた際に、その下端部分が壁ボード１９による壁板の内側上端部分に１５ｃｍ以上の重ね代ｓ（図４参照）で密着した状態となるように、当該下端部部分を間仕切壁１１ａ，１１ｂの内部に押込むことが可能な高さｈで形成することが好ましい。
【００２０】
ファイヤーストップ断熱部材１２を柱２２間の間隔に相当する横幅ｂで形成することにより、所定のモジュールで配置された各柱２２間の各設置スペース毎に、一体のファイヤーストップ断熱部材１２による一回の取付け作業によって、当該設置スペースを各々隙間無く覆う安定した状態のファイヤーストップ構造１０を容易に形成して行くことが可能になる。またファイヤーストップ断熱部材１２の下端部分を１５ｃｍ以上の重ね代ｓで間仕切壁１１ａ，１１ｂの内部に押込むことにより、強固且つ安定した防耐火性能を発揮させることが可能になる。
【００２１】
本実施形態によれば、上述の構成を備えるファイヤーストップ断熱部材１２は、図４に示すように、例えば隣接する一対の柱２２間の設置スペースにおいて、間仕切壁１１ａ，１１ｂの直上部分に配置された、梁や桁等からなる横架材１４の下端部分に、当該横架材１４の下端部分を一対の取付け用の耳部１６によって挟み込むようにしながら当該耳部１６に例えばタッカー２３等を打ち込むことにより、横架材１４から吊り下げた状態に容易且つスムーズに設置することができる。またファイヤーストップ断熱部材１２は、マットレスの如く圧縮変形が可能な可撓性や弾性を備えているので、例えば先行して設置されている間仕切壁１１ａ，１１ｂの一対の壁ボード１９の間に、これの上端開放部分からファイヤーストップ断熱部材１２の下端部分を押し込みつつ設置スペースを覆ってファイヤーストップ断熱部材１２を配置することが可能であり、これらの簡易な取付け作業によって、多くの手間を要することなくファイヤーストップ構造が容易に設けられることになる。
【００２２】
従って、本実施形態のファイヤーストップ構造１０によれば、例えば間仕切壁を構成するせっこうボードを横架材まで上方に延設させたり、間仕切壁の上端開放部分を閉塞するように板材を設けたり、間仕切壁と横架材との間を繋いで塞ぐ板材を設けたりすることによってファイヤーストップ機能を付与する構造と比較して、施工性や施工コスト、或いは設備配管との干渉を回避しやすいといった点で、有効且つ機能の信頼性の高いファイヤーストップ構造を形成することが可能になる。
【００２３】
すなわち、本実施形態のファイヤーストップ構造１０によれば、軸組工法による木造住宅建築物の間仕切壁１１ａ，１１ｂと天井裏２１ａ，２１ｂとの接合部に、ファイヤーストップを簡易な作業によって設けることを可能にして、ファイヤーストップによる防耐火性能を容易に付与することが可能になる。
【００２４】
また、本実施形態によれば、ファイヤーストップ断熱部材１２の不燃性繊維質断熱材１３は、少なくとも前後一対の正面部１３ａ及び底部１３ｂが防湿シート１５によって連続して覆われているので、例えば間仕切壁１１ａ，１１ｂの内部に生じる結露水等による水分を不燃性繊維質断熱材１３が吸収するのを効果的に回避することが可能になり、不燃性繊維質断熱材１３の品質を長期に亘って保持して、ファイヤーストップによる防耐火性能を安定した状態で長期間発揮させることが可能になる。
【００２５】
さらに、本実施形態によれば、ファイヤーストップ断熱部材１２の不燃性繊維質断熱材１３は断熱機能をも発揮するので、間仕切壁１１ａ，１１ｂと天井裏２１ａ，２１ｂとの接合部から冷気や暖気を逃がすことなく、木造住宅建築物の断熱性能を向上させることも可能になる。
【００２６】
なお、本発明は上記実施形態に限定されることなく種々の変更が可能である。例えば、本発明のファイヤーストップ構造は、２階建ての木造住宅建築物に限定されることなく、３階又は４階建て以上の軸組工法による木造住宅建築物に採用することもでき、間仕切壁と天井裏との接合部のみならず外壁と天井裏との接合部にも適用することができる。また、不燃性繊維質断熱材の全周を覆って防湿シートを取り付けてファイヤーストップ断熱部材とすることもでき、不燃性繊維質断熱材の天面部は、防湿シートによって覆う必要は必ずしもない。さらに、不燃性繊維質断熱材に防湿シートを接着剤等を介して接合一体化する必要は必ずしもなく、例えば防湿シートからなる袋に不燃性繊維質断熱材を単に挿入配置してファイヤーストップ断熱部材とすることもできる。さらにまた、耳部を介して横架材にファイヤーストップ断熱部材を吊り下げた後に、ファイヤーストップ断熱部材の下端部分に上端部分を重ねるようにして壁の壁板を取り付けることによって、本発明のファイヤーストップ構造とすることもできる。
【００２７】
また、図５に示すように、壁２４を挟んだ両側の天井２５は異なる高さに設置されており、壁２４を構成する両側の壁板２６は上端に段差を有している場合でも、ファイヤーストップ断熱部材１２を取り付けて、本発明のファイヤーストップ構造１０’を設けることもできる。このようなファイヤーストップ構造１０’では、上端が低い側の壁板２６との間に所定の重ね代を確保できるように、ファイヤーストップ断熱部材１２の高さを設定するようにすることが好ましい。
【図面の簡単な説明】
【００２８】
【図１】本発明の好ましい一実施形態に係るファイヤーストップ構造が設けられる軸組工法による木造住宅建築物の要部を示す略示断面図である。
【図２】本発明の好ましい一実施形態に係るファイヤーストップ構造を示す斜視図である。
【図３】ファイヤーストップ断熱部材の斜視図である。
【図４】ファイヤーストップ断熱部材の取り付け状況を説明する斜視図である。
【図５】ファイヤーストップ構造の他の形態を例示する断面図である。
【符号の説明】
【００２９】
１０，１０’  ファイヤーストップ構造
１１ａ，１１ｂ，２４  間仕切壁（壁）
１２  ファイヤーストップ断熱部材
１２ａ  ファイヤーストップ断熱部材の下端部分
１３  不燃性繊維質断熱材
１３ａ  不燃性繊維質断熱材の正面部
１３ｂ  不燃性繊維質断熱材の底部
１３ｃ  不燃性繊維質断熱材の天面部
１３ｄ  不燃性繊維質断熱材の側面部
１４  横架材
１５  防湿シート
１５ａ  天面防湿シート
１６  取付け用の耳部
１７  天井ボード
１８  グラルウール
１９，２６  壁ボード（壁板）
２０ａ  1階の居室部分
２０ｂ  ２階の居室部分
２１ａ，２１ｂ  天井裏
２２  柱（柱や間柱）
２３  タッカー
２５  天井
ｂ    ファイヤーストップ断熱部材の横幅
ｈ    ファイヤーストップ断熱部材の高さ
ｓ    重ね代
【図１】
2006207296.tif 000003
【図２】
2006207296.tif 000004
【図３】
2006207296.tif 000005
【図４】
2006207296.tif 000006
【図５】
2006207296.tif 000007